(57)【要約】【課題】  遊技客が獲得した遊技媒体を換金する際、遊技店、景品交換所及び遊技客のいずれにとってもニーズの低い特殊景品の取り扱いを削減する。【解決手段】  遊技媒体計数装置３０は、遊技客の携帯電話端末５から情報取得手段３０１により取得した携帯電話番号と、遊技媒体の計数値から算出した特殊景品数の情報を含む計数情報をＴ／Ｃ７０に通知して、該携帯電話番号及び計数情報を対応付けてＤＢ７３１により管理させる。現金払出装置８０は、換金客の携帯電話端末５から情報取得手段８０１により取得した携帯電話番号をＴ／Ｃ７０に通知して、当該携帯電話番号に対応する特殊景品数の情報をＤＢ７３１から検索させ、該検索された特殊景品数の情報がＴ／Ｃ７０から通知されるのを受けて、該通知された特殊景品数と等価の現金を払い出す。【選択図】  図１
2005192922.tif 000002
【特許請求の範囲】
【請求項１】
遊技媒体を計数する計数装置と、現金を払い出す現金払出装置とを上位管理装置に接続して成り、
前記計数装置は、
外部の通信端末からの着呼を受け付け、該通信端末の呼番号情報を取得する情報取得手段と、
前記遊技媒体の計数値に対応した有価価値情報を算出する算出手段と、
前記情報取得手段により取得された呼番号情報と、前記算出手段により算出された有価価値情報を前記上位管理装置に通知する通知手段と
を具備し、
前記上位管理装置は、
前記計数装置から通知される前記呼番号情報及び前記有価価値情報を互いに対応付けてデータベースにより管理する管理手段と、
前記現金払出装置から通知される呼番号情報に対応する有価価値情報を前記データベースから検索する検索手段と、
前記検索手段により検索された前記有価価値情報を前記現金払出装置に通知する検索情報通知手段と
を具備し、
前記現金払出装置は、
外部の通信端末からの着呼を受け付け、該通信端末の呼番号情報を取得する情報取得手段と、
前記情報取得手段により取得された呼番号情報を前記上位管理装置に通知する取得情報通知手段と、
前記呼番号情報の通知に対応して、前記上位管理装置から通知される有価価値情報と等価の現金を払い出す現金払出手段と
を具備することを特徴とする景品交換システム。
【請求項２】
遊技媒体を計数する計数装置と、特殊景品数と等価の現金を払い出す現金払出装置とを上位管理装置に接続して成り、
前記計数装置は、
外部の通信端末からの着呼を受け付け、該通信端末の呼番号情報を取得する情報取得手段と、
前記遊技媒体の計数値に対応した特殊景品数を算出する算出手段と、
前記情報取得手段により取得された呼番号情報と、前記算出手段により算出された特殊景品数の情報を含む計数情報を前記上位管理装置に通知する通知手段と
を具備し、
前記上位管理装置は、
前記計数装置から通知される前記呼番号情報及び前記計数情報を互いに対応付けてデータベースにより管理する管理手段と、
前記現金払出装置から通知される呼番号情報に対応する特殊景品数を前記データベースから検索する検索手段と、
前記検索手段により検索された前記特殊景品数を前記現金払出装置に通知する検索情報通知手段と
を具備し、
前記現金払出装置は、
外部の通信端末からの着呼を受け付け、該通信端末の呼番号情報を取得する情報取得手段と、
前記情報取得手段により取得された呼番号情報を前記上位管理装置に通知する取得情報通知手段と、
前記呼番号情報の通知に対応して、前記上位管理装置から通知される前記特殊景品数と等価の現金を払い出す現金払出手段と
を具備することを特徴とする景品交換システム。
【請求項３】
前記計数装置は、
前記遊技媒体の計数処理に関する情報が関連付けられた記録媒体を発行する記録媒体発行手段と、
前記外部の通信端末からの着呼がなかった場合、前記記録媒体発行手段により前記記録媒体を発行するように制御する記録媒体発行制御手段と
を具備することを特徴とする請求項１あるいは２記載の景品交換システム。
【請求項４】
前記計数装置は、
前記遊技媒体の計数処理に関する情報が関連付けられた記録媒体を発行する記録媒体発行手段と、
前記外部の通信端末からの着呼の有無にかかわらず、前記記録媒体発行手段により前記記録媒体を発行するように制御する記録媒体発行制御手段と
を具備することを特徴とする請求項１あるいは２記載の景品交換システム。
【請求項５】
前記計数装置は、
遊技媒体の計数時に自装置に対して発呼することを促すメッセージと、自装置の呼番号情報とを表示する表示制御手段
を具備することを特徴とする請求項１あるいは２記載の景品交換システム。
【請求項６】
前記表示制御手段は、
前記情報取得手段により前記外部の通信端末の呼番号情報が取得され、かつ前記遊技媒体の計数が完了した後、当該呼番号情報、遊技媒体の計数値、及び当該呼番号情報並びに遊技媒体の計数値を確認して計数終了の指示を出すことを促すメッセージを更に表示する
ことを特徴とする請求項５記載の景品交換システム。
【請求項７】
前記現金払出装置は、
換金時に自装置に対して発呼することを促すメッセージと、自装置の呼番号情報とを表示する表示制御手段
を具備することを特徴とする請求項１あるいは２記載の景品交換システム。
【請求項８】
前記上位管理装置に接続され、事前に貯えられている数分の遊技媒体を遊技機に貸出す再プレイ貸出処理機
を更に有し、
前記再プレイ貸出処理機は、
外部の通信端末からの着呼を受け付け、該通信端末の呼番号情報を取得する情報取得手段と、
前記情報取得手段により取得された呼番号を前記上位管理装置に通知する通知手段と、
前記呼番号情報の通知に対応して、前記上位管理装置から通知される余り遊技媒体数の情報に基づき、当該数分の遊技媒体を貸し出す処理を行う遊技媒体貸出処理手段と
を具備し、
前記上位管理装置は、
前記再プレイ貸出処理機から通知される前記呼番号情報に基づき、該呼番号情報に対応して前記データベースにより管理される前記計数情報の中の、最小景品との交換価値に満たない余り遊技媒体数の情報を検索して前記再プレイ貸出処理機に通知する余り数通知手段と、
前記再プレイ貸出処理機に対する前記余り遊技媒体数情報の通知後、該余り遊技媒体数を検索する際に用いた前記呼番号情報に対応する余り遊技媒体数をクリアして前記データベースを更新する余り数更新手段と
を具備することを特徴とする請求項２記載の景品交換システム。
【請求項９】
前記再プレイ貸出処理機は、
再プレイ時に自装置に対して発呼することを促すメッセージと、自装置の呼番号情報とを表示する表示制御手段
を具備することを特徴とする請求項８記載の景品交換システム。
【請求項１０】
前記上位管理装置に接続され、商品を販売する自動販売機
を更に有し、
前記自動販売機は、
外部の通信端末からの着呼を受け付け、該通信端末の呼番号情報を取得する情報取得手段と、
前記情報取得手段により取得された呼番号情報を前記上位管理装置に通知する通知手段と、
前記呼番号情報の通知に対応して、前記上位管理装置から通知される余り遊技媒体数に対応する価値の範囲内で商品を販売する販売制御手段と、
前記販売制御手段による前記商品の販売により消費された消費遊技媒体数を前記上位管理装置に通知する消費遊技媒体数通知手段と
を具備し、
前記上位管理装置は、
前記自動販売機から通知される前記呼番号情報に基づき、該呼番号情報に対応して前記データベースにより管理される前記計数情報の中の、最小景品との交換価値に満たない余り遊技媒体数の情報を検索して前記自動販売機に通知する余り数通知手段と、
前記自動販売機から通知される前記消費遊技媒体数を、前記余り遊技媒体数を検索する際に用いた前記呼番号情報に対応する余り遊技媒体数から減算して前記データベースを更新する余り数更新手段と
を具備することを特徴とする請求項２記載の景品交換システム。
【請求項１１】
前記自動販売機は、
商品購入時に自装置に対して発呼を行うことを促すメッセージと、自装置の呼番号情報とを表示する表示制御手段
を具備することを特徴とする請求項１０記載の景品交換システム。
【請求項１２】
前記情報取得手段は、
前記外部の通信端末である携帯電話端末から着呼を受け付け、該携帯電話端末の携帯電話番号を取得する携帯電話受信部
から成る
ことを特徴とする請求項１、２、８、１０のいずれか記載の景品交換システム。
【請求項１３】
前記情報取得手段は、
前記外部の通信端末である近距離無線通信端末から着呼を受け付け、該近距離無線通信端末の近距離無線通信呼番号を取得する近距離無線通信受信部
から成る
ことを特徴とする請求項１、２、８、１０のいずれか記載の景品交換システム。
【請求項１４】
遊技媒体を計数する計数装置と、特殊景品数と等価の現金を払い出す現金払出装置とを上位管理装置に接続して成る景品交換システムの景品交換方法であって、
前記計数装置の情報取得手段により、外部の通信端末からの着呼を受け付け、該通信端末の呼番号情報を取得する第１の情報取得ステップと、
前記計数装置の算出手段により、遊技媒体の計数値に対応した特殊景品数を算出する算出ステップと、
前記第１の情報取得ステップで取得した呼番号情報と、前記算出ステップで算出した特殊景品数の情報を含む計数情報を前記計数装置の通知手段により前記上位管理装置に通知する第１の通知ステップと、
前記上位管理装置の管理手段により、前記第１の通知ステップで通知される前記呼番号情報及び計数情報を互いに対応付けてデータベースにより管理する管理ステップと、
前記現金払出装置のアクセス要求受付手段により、外部の通信端末からの着呼を受け付け、該通信端末の呼番号情報を取得する第２の情報取得ステップと、
前記第２の情報取得ステップで取得された前記呼番号情報を前記現金払出装置の通知手段により前記上位管理装置に通知する第２の通知ステップと、
前記上位管理装置の検索手段により、前記第２の通知ステップで通知される呼番号情報に対応する特殊景品数の情報を前記データベースから検索する検索ステップと、
前記検索ステップで検索された前記特殊景品数の情報を、前記上位管理装置の検索情報通知手段により前記現金払出装置に通知する第３の通知ステップと、
前記現金払出装置の現金払出手段により、前記第２の通知ステップでの前記呼番号情報の通知に対応して、前記第３の通知ステップで前記上位管理装置から通知される前記呼番号情報に対応する特殊景品数と等価の現金を払い出す現金払出ステップと
を有することを特徴とする景品交換方法。
【発明の詳細な説明】
【技術分野】
【０００１】
本発明は、遊技客が遊技機により獲得した遊技媒体を現金に交換する景品交換システムに係わり、詳しくは、遊技客が特殊景品を持ち運ぶことなく換金可能な景品交換システム及び景品交換方法に関する。
【背景技術】
【０００２】
パチンコ店等の遊技場では、遊技客に対して遊技機（パチンコ機、パチスロ機等）による遊技のサービスを提供する一方で、遊技客が遊技機での遊技によって獲得した遊技媒体を景品に交換するサービスを提供している。
【０００３】
遊技客が獲得した遊技媒体を景品に交換する際の一般的な手順は、以下の通りである。
【０００４】
まず、遊技終了後、遊技客は獲得した遊技媒体例えばパチンコ玉（玉）を遊技媒体計数装置である玉計数機に投入し、計数を行う。
【０００５】
玉計数機では、玉計数終了後、該玉計数機に内蔵または接続されるレシート発行機から、玉計数処理に関連する情報（玉計数値、計数日時、計数機の号機番号等）を印字した玉数レシートを発行する。
【０００６】
次に、遊技客は、上記玉数レシートを景品カウンタにもっていき、景品管理装置（ＰＯＳ端末）により玉数レシートを読み込ませる操作を行う。
【０００７】
この操作により、景品管理装置は、上記玉数レシートから情報を読み取って玉計数値を認識して表示部に表示し、これを見た遊技客が特殊景品への交換を希望する場合には、上記玉数レシートに印字された玉計数値に対応する特殊景品を払出す。
【０００８】
次に、上記景品払出機によって払い出された特殊景品を持った遊技客は、遊技店の外にある景品交換所まで客として行き、該景品交換所の従業員に換金を希望する旨を伝える。
【０００９】
これにより、景品交換所の作業員は、客が持ち込んだ特殊景品を読取機により読み取って真偽をチェックすると共に、特殊景品の種類及び枚数を計数し、該計数結果と等価の現金を客に渡す。
【００１０】
上述した一連の手順による景品交換方法を適用した公知のシステムとして、下記特許文献１に記載される換金システムがあった。
【特許文献１】特開２００２−２３９１９６号公報
【発明の開示】
【発明が解決しようとする課題】
【００１１】
特許文献１記載の換金システムに代表されるように、遊技店において、特殊景品の払出しを行い、該特殊景品の払出しを受けた遊技客が当該特殊景品を景品交換所まで持って行って現金に換金する従来の景品交換方法では、特殊景品の交換を遊技店の店員が手作業で行う場合に、景品数の過剰または過小の払出しが起こる可能性があり、こうした払出しミスが発生した場合には、違算事故が起こり、遊技客との間でトラブルに発展するケースもある。
【００１２】
また、景品払出機を用いて特殊景品の払出しを行うにしても、膨大な特殊景品を購入し、遊技店（ホール）内、景品交換所にて人手で在庫管理を行う必要があり、管理、運用に要するコストが非常に多くかかり、更には、ホール内、景品交換所内での枚数チェック等の管理労力がかかることになった。
【００１３】
一方、遊技客は、遊技ホール（景品カウンタ）で受け取った特殊景品を景品交換所へ持っていくのは面倒であり、しかも他人の目に付き、不用心でもあった。
【００１４】
本発明は上記問題点を解消し、遊技客が獲得した遊技媒体を計数した後、特殊景品を持たずに景品交換所まで行って換金を行うことができ、遊技店側、景品交換所側及び遊技客側のいずれにとってもニーズの低い特殊景品の取り扱いを削減できる景品交換システム及び景品交換方法を提供することを目的とする。
【課題を解決するための手段】
【００１５】
上記目的を達成するために、請求項１記載の発明は、遊技媒体を計数する計数装置と、現金を払い出す現金払出装置とを上位管理装置に接続して成り、前記計数装置は、外部の通信端末からの着呼を受け付け、該通信端末の呼番号情報を取得する情報取得手段と、前記遊技媒体の計数値に対応した有価価値情報を算出する算出手段と、前記情報取得手段により取得された呼番号情報と、前記算出手段により算出された有価価値情報を前記上位管理装置に通知する通知手段とを具備し、前記上位管理装置は、前記計数装置から通知される前記呼番号情報及び前記有価価値情報を互いに対応付けてデータベースにより管理する管理手段と、前記現金払出装置から通知される呼番号情報に対応する有価価値情報を前記データベースから検索する検索手段と、前記検索手段により検索された前記有価価値情報を前記現金払出装置に通知する検索情報通知手段とを具備し、前記現金払出装置は、外部の通信端末からの着呼を受け付け、該通信端末の呼番号情報を取得する情報取得手段と、前記情報取得手段により取得された呼番号情報を前記上位管理装置に通知する取得情報通知手段と、前記呼番号情報の通知に対応して、前記上位管理装置から通知される有価価値情報と等価の現金を払い出す現金払出手段とを具備することを特徴とする。
【００１６】
請求項２記載の発明は、遊技媒体を計数する計数装置と、特殊景品数と等価の現金を払い出す現金払出装置とを上位管理装置に接続して成り、前記計数装置は、外部の通信端末からの着呼を受け付け、該通信端末の呼番号情報を取得する情報取得手段と、前記遊技媒体の計数値に対応した特殊景品数を算出する算出手段と、前記情報取得手段により取得された呼番号情報と、前記算出手段により算出された特殊景品数の情報を含む計数情報を前記上位管理装置に通知する通知手段とを具備し、前記上位管理装置は、前記計数装置から通知される前記呼番号情報及び前記計数情報を互いに対応付けてデータベースにより管理する管理手段と、前記現金払出装置から通知される呼番号情報に対応する特殊景品数を前記データベースから検索する検索手段と、前記検索手段により検索された前記特殊景品数を前記現金払出装置に通知する検索情報通知手段とを具備し、前記現金払出装置は、外部の通信端末からの着呼を受け付け、該通信端末の呼番号情報を取得する情報取得手段と、前記情報取得手段により取得された呼番号情報を前記上位管理装置に通知する取得情報通知手段と、前記呼番号情報の通知に対応して、前記上位管理装置から通知される前記特殊景品数と等価の現金を払い出す現金払出手段とを具備することを特徴とする。
【００１７】
請求項３記載の発明は、上記請求項１あるいは２記載の発明において、前記計数装置は、前記遊技媒体の計数処理に関する情報が関連付けられた記録媒体を発行する記録媒体発行手段と、前記外部の通信端末からの着呼がなかった場合、前記記録媒体発行手段により前記記録媒体を発行するように制御する記録媒体発行制御手段とを具備することを特徴とする。
【００１８】
請求項４記載の発明は、上記請求項１あるいは２記載の発明において、前記計数装置は、前記遊技媒体の計数処理に関する情報が関連付けられた記録媒体を発行する記録媒体発行手段と、前記外部の通信端末からの着呼の有無にかかわらず、前記記録媒体発行手段により前記記録媒体を発行するように制御する記録媒体発行制御手段とを具備することを特徴とする。
【００１９】
請求項５記載の発明は、上記請求項１あるいは２記載の発明において、前記計数装置は、遊技媒体の計数時に自装置に対して発呼することを促すメッセージと、自装置の呼番号情報とを表示する表示制御手段を具備することを特徴とする。
【００２０】
請求項７記載の発明は、上記請求項５記載の発明において、前記表示制御手段は、前記情報取得手段により前記外部の通信端末の呼番号情報が取得され、かつ前記遊技媒体の計数が完了した後、当該呼番号情報、遊技媒体の計数値、及び当該呼番号情報並びに遊技媒体の計数値を確認して計数終了の指示を出すことを促すメッセージを更に表示することを特徴とする。
【００２１】
請求項７記載の発明は、上記請求項１あるいは２記載の発明において、前記現金払出装置は、換金時に自装置に対して発呼することを促すメッセージと、自装置の呼番号情報とを表示する表示制御手段を具備することを特徴とする。
【００２２】
請求項８記載の発明は、上記請求項２記載の発明において、前記上位管理装置に接続され、事前に貯えられている数分の遊技媒体を遊技機に貸出す再プレイ貸出処理機を更に有し、前記再プレイ貸出処理機は、外部の通信端末からの着呼を受け付け、該通信端末の呼番号情報を取得する情報取得手段と、前記情報取得手段により取得された呼番号を前記上位管理装置に通知する通知手段と、前記呼番号情報の通知に対応して、前記上位管理装置から通知される余り遊技媒体数の情報に基づき、当該数分の遊技媒体を貸し出す処理を行う遊技媒体貸出処理手段とを具備し、前記上位管理装置は、前記再プレイ貸出処理機から通知される前記呼番号情報に基づき、該呼番号情報に対応して前記データベースにより管理される前記計数情報の中の、最小景品との交換価値に満たない余り遊技媒体数の情報を検索して前記再プレイ貸出処理機に通知する余り数通知手段と、前記再プレイ貸出処理機に対する前記余り遊技媒体数情報の通知後、該余り遊技媒体数を検索する際に用いた前記呼番号情報に対応する余り遊技媒体数をクリアして前記データベースを更新する余り数更新手段とを具備することを特徴とする。
【００２３】
請求項９記載の発明は、上記請求項８記載の発明において、前記再プレイ貸出処理機は、再プレイ時に自装置に対して発呼することを促すメッセージと、自装置の呼番号情報とを表示する表示制御手段を具備することを特徴とする。
【００２４】
請求項１０記載の発明は、上記請求項２記載の発明において、前記上位管理装置に接続され、商品を販売する自動販売機を更に有し、前記自動販売機は、外部の通信端末からの着呼を受け付け、該通信端末の呼番号情報を取得する情報取得手段と、前記情報取得手段により取得された呼番号情報を前記上位管理装置に通知する通知手段と、前記呼番号情報の通知に対応して、前記上位管理装置から通知される余り遊技媒体数に対応する価値の範囲内で商品を販売する販売制御手段と、前記販売制御手段による前記商品の販売により消費された消費遊技媒体数を前記上位管理装置に通知する消費遊技媒体数通知手段とを具備し、前記上位管理装置は、前記自動販売機から通知される前記呼番号情報に基づき、該呼番号情報に対応して前記データベースにより管理される前記計数情報の中の、最小景品との交換価値に満たない余り遊技媒体数の情報を検索して前記自動販売機に通知する余り数通知手段と、前記自動販売機から通知される前記消費遊技媒体数を、前記余り遊技媒体数を検索する際に用いた前記呼番号情報に対応する余り遊技媒体数から減算して前記データベースを更新する余り数更新手段とを具備することを特徴とする。
【００２５】
請求項１１記載の発明は、上記請求項１０記載の発明において、前記自動販売機は、商品購入時に自装置に対して発呼を行うことを促すメッセージと、自装置の呼番号情報とを表示する表示制御手段を具備することを特徴とする。
【００２６】
請求項１２記載の発明は、上記請求項１、２、８、１０のいずれか記載の発明において、前記情報取得手段は、前記外部の通信端末である携帯電話端末から着呼を受け付け、該携帯電話端末の携帯電話番号を取得する携帯電話受信部から成ることを特徴とする。
【００２７】
請求項１３記載の発明は、上記請求項１、２、８、１０のいずれか記載の発明において、前記情報取得手段は、前記外部の通信端末である近距離無線通信端末から着呼を受け付け、該近距離無線通信端末の近距離無線通信呼番号を取得する近距離無線通信受信部から成ることを特徴とする。
【００２８】
請求項１４記載の発明は、遊技媒体を計数する計数装置と、特殊景品数と等価の現金を払い出す現金払出装置とを上位管理装置に接続して成る景品交換システムの景品交換方法であって、前記計数装置の情報取得手段により、外部の通信端末からの着呼を受け付け、該通信端末の呼番号情報を取得する第１の情報取得ステップと、前記計数装置の算出手段により、遊技媒体の計数値に対応した特殊景品数を算出する算出ステップと、前記第１の情報取得ステップで取得した呼番号情報と、前記算出ステップで算出した特殊景品数の情報を含む計数情報を前記計数装置の通知手段により前記上位管理装置に通知する第１の通知ステップと、前記上位管理装置の管理手段により、前記第１の通知ステップで通知される前記呼番号情報及び計数情報を互いに対応付けてデータベースにより管理する管理ステップと、前記現金払出装置のアクセス要求受付手段により、外部の通信端末からの着呼を受け付け、該通信端末の呼番号情報を取得する第２の情報取得ステップと、前記第２の情報取得ステップで取得された前記呼番号情報を前記現金払出装置の通知手段により前記上位管理装置に通知する第２の通知ステップと、前記上位管理装置の検索手段により、前記第２の通知ステップで通知される呼番号情報に対応する特殊景品数の情報を前記データベースから検索する検索ステップと、前記検索ステップで検索された前記特殊景品数の情報を、前記上位管理装置の検索情報通知手段により前記現金払出装置に通知する第３の通知ステップと、前記現金払出装置の現金払出手段により、前記第２の通知ステップでの前記呼番号情報の通知に対応して、前記第３の通知ステップで前記上位管理装置から通知される前記呼番号情報に対応する特殊景品数と等価の現金を払い出す現金払出ステップとを有することを特徴とする。
【発明の効果】
【００２９】
本発明によれば、遊技媒体を計数する計数装置と、特殊景品数と等価の現金を払い出す現金払出装置とを上位管理装置に接続すると共に、計数装置と、現金払出し装置に、それぞれ、外部の通信端末からの着呼を受け付け、該通信端末の呼番号情報を取得する情報取得手段を設け、更に、計数装置では、自装置の情報取得手段により取得した呼番号情報と、遊技媒体の計数値から算出した特殊景品数の情報を含む計数情報を上位管理装置に通知して、該上位管理装置により、該呼番号情報及び計数情報を対応付けてデータベースにより管理させる一方で、現金払出装置では、自装置の情報取得手段により取得された呼番号情報を上位管理装置に通知して、該上位管理装置により、現金払出装置から通知された呼番号情報に対応する特殊景品数の情報をデータベースから検索させ、該検索された特殊景品数の情報が上位管理装置から通知されるのを受けて、該通知された特殊景品数と等価の現金を払い出すようにしたものである。
【００３０】
このように、本発明では、遊技客が所持する携帯電話機等の外部通信端末を媒介として遊技媒体の計数及び換金を行うため、実際の物としての特殊景品が介在せず、遊技店側では、特殊景品の購入、管理及び運用に係わるコスト及び労力を低減できかつ特殊景品の偽造による不正を防止できると共に、景品交換所においても枚数チェック等の労力低減を図ることができる。また、遊技客にとっても、特殊景品を景品交換所まで持っていく面倒がなく、セキュリティの面でも安心である。
【発明を実施するための最良の形態】
【００３１】
以下、本発明の実施形態について添付図面を参照して詳細に説明する。
【００３２】
図１は、本発明に係る景品交換システム９０の全体構成を示すブロック図である。
【００３３】
このシステム９０は、例えば、パチンコ店において、景品管理装置１０、遊技媒体計数装置３０（３０ａ，３０ｂ，３０ｃ）、再プレイ玉貸機４０（４０ａ，４０ｂ，…）、再プレイメダル貸機５０（５０ａ，５０ｂ，…）、自動販売機６０をＬＡＮ７により上位管理装置（ターミナルコントローラ：以下、Ｔ／Ｃと略称）７０に接続すると共に、例えば、パチンコ店の外部にある景品交換所に設置された現金払出装置８０をネットワーク（ＮＷ）８によりＴ／Ｃ７０に接続して構成される。
【００３４】
このシステム９０において、遊技媒体計数装置３０としては、レシート発行機能付玉計数機３０ａ単独の構成（以下、符号３０ａ）、レシート発行機２０に玉計数機２５を接続した構成（以下、符号３０ｂ）、レシート発行機２０にメダル計数機２６を接続した構成（以下、符号３０ｃ）のものが設置される。
【００３５】
遊技媒体計数装置３０ａは、遊技客がパチンコ機（遊技店内に設置される：図示せず）で獲得したパチンコ玉の数を計数すると共に、該玉計数値、計数日時、計数号機番号、玉計数値により算出された特殊景品数、特殊景品に交換できない余り玉数等、玉計数処理に関する情報が印字された玉数レシートを発行する処理を当該装置単独で行う。
【００３６】
遊技媒体計数装置３０ｂは、上記パチンコ玉の数を玉計数機２５で計数すると共に、該玉計数機２５に接続されるレシート発行機２０により、上記玉計数処理に関する情報が印字された玉数レシートを発行する処理を行う。
【００３７】
遊技媒体計数装置３０ｃは、遊技客がパチスロ機（遊技店内に設置される：図示せず）で獲得したメダルの数をメダル計数機２６で計数すると共に、該メダル計数機２６に接続されるレシート発行機２０により、上記メダル計数処理に関する情報（メダル計数値、計数日時、計数号機番号、メダル計数値により算出された特殊景品数、特殊景品に交換できない余りメダル数等）が印字されたメダル数レシートを発行する処理を行う。
【００３８】
このシステム９０において、上記各遊技媒体計数装置３０は、遊技客が獲得したパチンコ玉またはメダルのうちの対応する遊技媒体の計数時、例えば、遊技客の携帯電話端末５から発呼に対応した着呼を受け付けて該携帯電話端末５の携帯電話番号を取得する情報取得手段３０１と、この取得した携帯電話番号を、上記遊技媒体の計数処理に関する情報（以下、計数データという）と共にＬＡＮ７を介してＴ／Ｃ７０に通知する通知手段を備える。
【００３９】
なお、図１では、遊技媒体計数装置３０ａのみが情報取得手段３０１を持つ様子を示しているが、遊技媒体計数装置３０ｂ，３０ｃも同様の情報取得手段３０１を有するものである。
【００４０】
また、Ｔ／Ｃ７０は、遊技媒体計数装置３０から、上記通知手段により通知される携帯電話番号と計数データとを対応付けてデータベース（以下、ＤＢと略称）７３１に登録し管理する手段と、後述する現金払出装置８０からＮＷ８を介して通知される携帯電話番号を受信し、該携帯電話番号に対応する計数データ中の特殊景品数を上記ＤＢ７３１から検索し、該検索された特殊景品数を現金払出装置８０に通知する通知手段とを備えている。
【００４１】
また、現金払出装置８０は、遊技店で遊技媒体を計数した遊技客が、景品交換所まで客として訪れて換金する際、例えば、該客（遊技店で事前に計数を行った遊技客）の携帯電話端末５からの着呼を受け付けて該携帯電話端末５の携帯電話番号を取得する情報取得手段８０１と、この取得した携帯電話番号を含む検索要求をＴ／Ｃ７０に通知する通知手段と、該検索要求に対応して、Ｔ／Ｃ７０から通知される特殊景品数と等価の現金を払い出す手段とを備える。
【００４２】
かかる景品交換システム９０の構成によれば、遊技媒体計数装置３０が、上記遊技媒体計数時に情報取得手段３０１により取得した携帯電話番号と、遊技媒体の計数値から算出した特殊景品数を含む計数データをＴ／Ｃ７０に通知して、該Ｔ／Ｃ７０により、該携帯電話番号及び計数データを対応付けてＤＢ７３１により管理させる一方で、現金払出装置８０が、上記換金時に情報取得手段８０１により取得した携帯電話番号をＴ／Ｃ７０に通知して、該Ｔ／Ｃ７０により、現金払出装置８０から通知された携帯電話番号に対応する特殊景品数をＤＢ７３１から検索せしめ、該検索された特殊景品数がＴ／Ｃ７０から通知されるのを受けて、当該携帯電話番号に対応する特殊景品数と等価の現金を払い出すことができる。
【００４３】
更に、このシステム９０では、Ｔ／Ｃ７０に接続される再プレイ玉貸機４０（４０ａ，４０ｂ，…）及び再プレイメダル貸機５０（５０ａ，５０ｂ，…）、及び自動販売機６０にも、それぞれ、例えば、遊技客の携帯電話端末５からのアクセス要求を受け付け、該端末５の携帯電話番号を取得する手段（図示せず）が設けられる。
【００４４】
これにより、Ｔ／Ｃ７０と再プレイ玉貸機４０との間では、再プレイ玉貸機４０が遊技客の携帯電話端末５から取得した携帯電話番号をＴ／Ｃ７０に通知すると、Ｔ／Ｃ７０が、該通知された携帯電話番号に対応する余り玉数の情報をＤＢ７３１から検索して再プレイ玉貸機４０に通知し、該再プレイ玉貸機４０が、当該再プレイ玉貸機４０に対応するパチンコ機に対して、Ｔ／Ｃ７０から通知を受けた上記余り玉数分の玉貸出しを行う処理が行われる。
【００４５】
同様に、Ｔ／Ｃ７０と再プレイメダル貸機５０との間では、再プレイメダル貸機５０が遊技客の携帯電話端末５から取得した携帯電話番号をＴ／Ｃ７０に通知すると、Ｔ／Ｃ７０が、該通知された携帯電話番号に対応する余りメダル数の情報をＤＢ７３１から検索して再プレイメダル貸機５０に通知し、該再プレイメダル貸機５０が、当該再プレイメダル貸機５０に対応するパチスロ機に対して、Ｔ／Ｃ７０から通知を受けた上記余りメダル数分のメダル貸出しを行う処理が行われる。
【００４６】
また、Ｔ／Ｃ７０と自動販売機６０との間では、自動販売機６０が遊技客の携帯電話端末５から取得した携帯電話番号をＴ／Ｃ７０に通知すると、Ｔ／Ｃ７０が、該通知された携帯電話番号に対応する余り玉数（または、余りメダル数）の情報をＤＢ７３１から検索して自動販売機６０に通知し、該自動販売機６０が、Ｔ／Ｃ７０から通知を受けた上記余り玉数（または、余りメダル数）の価値の範囲内で遊技客に対して商品の販売を行うと共に、該商品の販売に要した玉数（または、メダル数）を自動販売機６０からＴ／Ｃ７０に通知し、該Ｔ／Ｃ７０が、当該通知された玉数（または、メダル数）を、上記余り玉数（または、余りメダル数）を検索するのに用いた携帯電話番号に対応する余り玉数（または、余りメダル数）から減算してＤＢ７３１を更新する処理が行われる。
【００４７】
このように、本発明に係わる景品交換システム９０では、遊技客の携帯電話端末５の携帯電話番号に対応して遊技媒体の計数処理に関する情報を管理するＤＢ７３１をＴ／Ｃ７０が持つことを前提としたうえで、更に、遊技客の携帯電話端末５を媒介として、上記ＤＢ７３１により管理される余り玉またはメダル数を用いて、再プレイ玉貸機４０または再プレイメダル貸機５０による玉またはメダルの貸出し、あるいは、自動販売機６０による商品（タバコや飲料等）の販売を行うこともできる。
【００４８】
以下、本発明に係わる景品交換システム９０における個々の装置について、その構成及び処理動作を更に詳しく説明する。
【００４９】
なお、以下の説明では、説明を簡単にする意味で、各装置が遊技媒体としてパチンコ玉を扱う装置であるものとする。
【００５０】
図２は、本発明に係わる遊技媒体計数装置３０の機能構成を示すブロック図である。
【００５１】
図２に示すように、遊技媒体計数装置３０は、ＬＡＮ７を介してＴ／Ｃ７０との通信制御を行う通信制御部３１、装置全体の制御を行う制御部３２、制御部３２の動作プログラム等の各種情報を記憶する記憶部３３、タッチパネル等から成り、表示パネルに情報を表示する機能と、表示パネルに表示されたボタン等を例えば手で触るなどにより例えば計数終了指示等を含む各種情報を入力する機能を有する操作／表示部３４、図示しない遊技媒体投入部から投入されるパチンコ玉の玉数を計数する遊技媒体計数部３５、玉数の計数結果が関連付けられた記録媒体（この例では、玉数レシート）を発行する記録媒体発行部３６、玉計数に際してなされる遊技客の携帯電話端末５からの発呼に対応した受信動作を行う携帯電話受信部３７を具備して構成される。
【００５２】
このうち、制御部３２は、パチンコ玉の計数に対応して遊技媒体計数部３５から出力されるパルスを受信して該玉数の計数処理を行う遊技媒体計数処理部３２１、遊技媒体計数処理部３２１での玉数の計数値に対して交換可能な特殊景品の種類及び数を算出する景品数算出部３２２、携帯電話受信部３７で受信される発呼側の携帯電話端末５の携帯電話番号を取得する端末番号取得部３２３、端末番号取得部３２３により取得した携帯電話番号、及び上記玉計数処理に関する情報（計数データ：遊技媒体計数処理部３２１による玉計数値、計数日時、計数を行った装置の号機番号、上記景品算出部３２２で算出された特殊景品数、特殊景品に交換できない余り玉数等）を被管理情報としてＴ／Ｃ７０に通知する被管理情報通知部３２４、記録媒体発行部３６における玉数レシート発行の制御を行う記録媒体発行制御部３２５を具備して構成される。
【００５３】
なお、この遊技媒体計数装置３０の構成中、携帯電話受信部３７と端末番号取得部３２３の機能を合わせたものが、図１に示した情報取得手段３０１に相当する。
【００５４】
図３は、本発明に係わる現金払出装置８０の機能構成を示すブロック図である。
【００５５】
図３に示すように、現金払出装置８０は、ＮＷ８を介してＴ／Ｃ７０との通信制御を行う通信制御部８１、装置全体の制御を行う制御部８２、制御部８２の動作プログラム等の各種情報を記憶する記憶部８３、タッチパネル等から成り、表示パネルに対する表示機能と、該表示パネルへのタッチに応じた情報入力機能を有する操作／表示部８４、図示しない現金収容部に収容された現金（硬貨／紙幣）を払出す現金払出部８５、換金客の携帯電話端末５からの発呼に対応した受信動作を行う携帯電話受信部８６を具備して構成される。
【００５６】
このうち、制御部８２は、携帯電話受信部８６で受信される発呼側（換金客）の携帯電話端末５の携帯電話番号を取得する端末番号取得部８２１、端末番号取得部８２１により取得した携帯電話番号のＴ／Ｃ７０への通知、及び該通知した携帯電話番号に対応してＴ／Ｃ７０から通知される特殊景品数の受信等、Ｔ／Ｃ７０との間で各種情報の送受信を行う情報送受信処理部８２２、Ｔ／Ｃ７０から通知を受けた上記特殊景品数と等価の現金を現金払出部８５から払出す制御を行う現金払出制御部８２３を具備して構成される。
【００５７】
なお、この現金払出装置８０の構成中、携帯電話受信部８６と端末番号取得部８２１の機能を合わせたものが、図１に示した情報取得部８０１に相当する。
【００５８】
図４は、本発明に係わるＴ／Ｃ７０の機能構成を示すブロック図である。
【００５９】
図４に示すように、Ｔ／Ｃ７０は、ＬＡＮ７を介して遊技媒体計数装置３０等との通信制御を行う通信制御部７１ａ、ＮＷ８を介して現金払出装置８０との通信制御を行う通信制御部７１ｂ、装置全体の制御を行う制御部７２、制御部７２の動作プログラム等の各種情報を記憶する記憶部７３、各種情報を表示する表示部７４、キーやマウス等の操作により各種情報を入力する操作部７５を具備して構成される。
【００６０】
このうち、制御部７２は、遊技媒体計数装置３０から通知される上記被管理情報の受信、現金払出装置８０から通知される上記検索用の携帯電話番号の受信並びに該携帯電話番号に基づく検索結果である特殊景品数の現金払出装置８０への送信等、遊技媒体計数装置３０あるいは現金払出装置８０との間で各種情報の送受信を行う情報送受信処理部７２１、遊技媒体計数装置３０から通知される上記被管理情報に基づき、その中に含まれる携帯電話番号と計数データを対応付けて格納したＤＢ７３１（例えば、記憶部７３内部）を構築してその管理を行うＤＢ管理部７２２、現金払出装置８０から通知される携帯電話番号に基づき、該携帯電話番号に対応してＤＢ７３１に格納される計数データの中から特殊景品数の情報を検索し、上記情報送受信処理部７２１に渡す検索処理部７２３、上記ＤＢ７３１に格納される計数データ中の余り玉数に基づく再プレイ玉貸機４０での玉貸出し制御を支援する再プレイ機制御部７２４、上記ＤＢ７３１に格納される計数データ中の余り玉数に基づく自動販売機６０での商品販売制御を支援する販売機制御部７２５を具備して構成される。
【００６１】
次に、上記遊技媒体計数装置３０（図２参照）、現金払出装置８０（図３参照）、Ｔ／Ｃ７０（図４参照）の処理動作について説明する。
【００６２】
図５は、本発明に係わる遊技媒体計数装置３０の計数処理動作を示すフローチャートである。
【００６３】
遊技媒体計数装置３０では、待機状態において、操作／表示部３４の表示パネル上に、待受け画面を表示している（ステップＳ１０１）。
【００６４】
図６は、遊技媒体計数装置３０における表示パネルへの表示画面の例を示す図であり、同図（ａ）は待受け画面３４０ａの表示例を、同図（ｂ）は計数・携帯番号確認画面３４０ｂの表示例をそれぞれ示している。
【００６５】
上記ステップＳ１０１において、遊技媒体計数装置３０の制御部３２は、表示パネルに対して、図６（ａ）に示す待受け画面３４０ａを表示し、玉を計数しようとしている遊技客に対して、“０９０−０×××−××××”である当該遊技媒体計数装置３０の電話番号に電話をかけることを促す。
【００６６】
この待受け画面３４０ａを見た遊技客は、自分が所持する携帯電話端末５を媒体とした玉計数を希望する場合は、玉投入口から玉を投入すると共に、自分が所持する携帯電話端末５から、上記待受け画面３４０ａに表示された遊技媒体計数装置３０の電話番号に電話をかける。
【００６７】
一方、遊技媒体計数装置３０では、上記待受け画面３４０ａの表示中、制御部３２が、例えば、遊技媒体計数部３５からパチンコ玉の計数を示すパルスが入力されたか否かにより、パチンコ玉が投入されたかどうか監視し（ステップＳ１０２）、パチンコ玉が投入された場合（ステップＳ１０２ＹＥＳ）は、遊技媒体計数処理部３２１が上記入力パルスに基づいて玉数を計数する処理を開始する（ステップＳ１０３）。
【００６８】
その後、遊技客が自分の携帯電話端末５から遊技媒体計数装置３０の電話番号“０９０−０×××−××××”に電話をかけるのに対応して、携帯電話受信部３７に該携帯電話端末５から着呼があり、端末番号取得部３２３によって発呼側の携帯電話端末５の携帯電話番号例えば“０９０−１×××−××××”が取得されると（ステップＳ１０４ＹＥＳ）、次いで、制御部３２は、この取得された携帯電話番号と、上記ステップＳ１０３で開始した玉計数処理での玉計数結果を表示パネルに表示する（ステップＳ１０５）。
【００６９】
この場合、表示パネル上には、例えば、図６（ｂ）に示す計数・携帯番号確認画面３４０ｂを用いて、発呼側の携帯電話番号が“０９０−１×××−××××”であること、玉計数値が“××××××”個であること、及び、当該内容を確認して間違いがなければ計数終了ボタンを押下することを促すメッセージが表示される。
【００７０】
この計数・携帯番号確認画面３４０ｂの表示中、制御部３２は、当該画面３４０ｂ上で計数終了ボタンが押下されたか否かを監視する（ステップＳ１０６）。
【００７１】
ここで、例えば、表示パネルに表示された携帯電話番号が自分（遊技客）の携帯電話端末５の携帯電話番号と違っていることにより、所定時間が経過しても該遊技客が計数終了ボタンを押下しなかった場合（ステップＳ１０６ＮＯ）、制御部３２は、上記表示パネルに対して、再発呼を促す旨のメッセージを表示する（ステップＳ１０７）。
【００７２】
以後、制御部３２は、上記再発呼に係わる携帯電話番号の受信処理（ステップＳ１０４ＹＥＳ）と、受信した携帯電話番号及び計数結果の表示処理（ステップＳ１０５）を行い、更に、計数終了ボタンが押下されたか否かのチェックに進む（ステップＳ１０６）。
【００７３】
ここで、表示パネルに表示された携帯電話番号が自分（遊技客）の携帯電話端末５の携帯電話番号と一致することを確認しかつ計数結果を確認したことにより、該遊技客が計数終了ボタンを押下した場合（ステップＳ１０６ＹＥＳ）、景品数算出部３２２は、上記計数結果（玉計数値）から、当該玉計数値に対応して交換可能な特殊景品の種別と数を算出する（ステップＳ１０８）。
【００７４】
この特殊景品数算出処理を実現するために、当該遊技媒体計数装置３０の例えば記憶部３３には、図７に示すように、特殊景品の種別（大景品、中景品、小景品）毎に、これら各景品に各々対応する交換可能玉数（交換玉数：交換レート）の情報を保持した景品交換管理テーブル３３１が格納されている。
【００７５】
この例では、大景品、中景品、小景品に対する交換玉数として、それぞれ、１２５０（個）、２５０（個）、５０（個）という交換レートが設定されている。
【００７６】
上記ステップＳ１０８の特殊景品数算出処理において、景品数算出部３２２は、それまでに完了した計数結果（玉計数値）から上記景品交換管理テーブル３３１（交換レート）を参照して当該玉数に対応する景品交換パターン（種別及び数）を算出する。
【００７７】
具体的には、例えば、図７に示すように、玉計数値＝４２８５（個）の場合、景品数算出部３２２は、該玉計数値＝４２８５を大景品に対応する交換玉数＝１２５０で除算し、この時の除算結果である３余り５３５から、大景品数＝３を求め、次いで、上記除算結果の余り数＝５３５を中景品に対応する交換玉数＝２５０で除算し、この時の除算結果である２余り３５から、中景品数＝２と余り数＝３５を求める。
【００７８】
次いで、被管理情報通知部３２４は、上記ステップＳ１０８で景品数算出部３２２により算出された景品交換パターンと、遊技媒体計数処理部３２１による上記ステップＳ１０３以降における玉計数値と、上記ステップＳ１０４で端末番号取得部３２３により取得された携帯電話番号の情報を被管理情報として通信制御部３１を通じてＴ／Ｃ７０に通知する（ステップＳ１０９）。
【００７９】
これに対して、上記ステップＳ１０４での携帯電話番号取得チェック処理において、遊技客が自分の携帯電話端末５から遊技媒体計数装置３０の電話番号“０９０−０×××−××××”に電話をかけないことにより、端末番号取得部３２３によって発呼側の携帯電話端末５の携帯電話番号が取得されない場合（ステップＳ１０４ＮＯ）、次いで、制御部３２は、上記ステップＳ１０３での計数開始後から所定時間が経過したか否かをチェックし（ステップＳ１１０）、該所定時間が経過するまでの間（ステップＳ１１０ＹＥＳ）、携帯電話番号が取得されたか否かの監視（ステップＳ１０４）を続ける。
【００８０】
この間、携帯電話番号が取得されないまま（ステップＳ１０４ＮＯ）、上記所定時間が経過した場合（ステップＳ１１０ＹＥＳ）、制御部３２は、操作／表示部３４の表示パネル上にそれまでの玉計数結果を表示する（ステップＳ１１１）。
【００８１】
次いで、記録媒体発行制御部３２５は、上記玉計数結果に対応した玉数レシートを記録媒体発行部３６により発行させる制御を行い（ステップＳ１１２）、その後、待機状態（ステップＳ１０１）に戻る。
【００８２】
なお、この玉数レシート発行制御において、記録媒体発行制御部３２５は、上記遊技媒体計数処理部３２１による玉計数値、計数日時、計数機（自装置）の号機番号、及び景品数算出部３３２により算出された特殊景品数などの情報を記録媒体発行指示と共に記録媒体発行部３６に送出する。
【００８３】
記録媒体発行部３６は、印字部、ロール紙及びカッタを備え、記録媒体発行制御部３２５から上記記録媒体発行指示を受信すると、該媒体発行指示と共に受信した上記各情報（玉計数値、計数日時、計数機（自装置）の号機番号、特殊景品数等の情報）に基づき、例えば、図８に示すように、これら各情報を上記印字部により文字情報とバーコード情報としてロール紙に印字し、該カット紙を所定長さにカットした後、上記玉数レシート３７１として出力する。
【００８４】
図９は、本発明に係わるＴ／Ｃ７０のＤＢ登録／検索処理動作を示すフローチャートである。
【００８５】
Ｔ／Ｃ７０では、待機中（ステップＳ２０１）、情報送受信処理部７２１において、通信制御部７１ａまたは７１ｂを介して何等かの情報が受信されたか否かを監視している（ステップＳ２０２）。
【００８６】
ここで、情報が受信された場合（ステップＳ２０２ＹＥＳ）、情報送受信処理部７２１は、当該受信された情報が遊技媒体計数装置３０からの被管理情報であるか否かをチェックし（ステップＳ２０３）、該被管理情報が受信されたのであれば（ステップＳ２０３ＹＥＳ）、ＤＢ管理部７２２が、該受信された被管理情報を記憶部７３内に用意されたＤＢ７３１に格納する（ステップＳ２０４）。
【００８７】
具体的に、ＤＢ管理部７２２は、受信した被管理情報から計数データ（玉計数値、特殊景品数、余り玉数）と携帯電話番号とを抽出し、該抽出した携帯電話番号に対応付けて当該計数データをＤＢ７３１に格納する。
【００８８】
上記被管理情報の受信（ステップＳ２０３）、並びに受信した被管理情報に基づく携帯電話番号対計数データの格納処理（ステップＳ２０４）が、遊技媒体計数装置３０において各遊技客が自分の携帯電話端末５を媒介とした計数を行う毎に実施される結果、記憶部３３内には、例えば、図１０に示すように、計数を行った各遊技客の携帯電話番号毎に、対応する玉計数値、特殊景品数（交換パターン：種別及び数）、余り玉数の各情報が格納された被管理情報ＤＢ７３１が構築されることになる。
【００８９】
なお、図１０の例では、ＤＢ７３１は、玉計数データしか管理してないが、実際の運用においては、メダル計数機２６でのメダル計数データの管理も行われることは言うまでもない。
【００９０】
一方、上記ステップＳ２０２で受信された情報が遊技媒体計数装置３０からの被管理情報でないと判定された場合（ステップＳ２０３ＮＯ）次いで、情報送受信処理部７２１は、該受信された情報が現金払出装置８０からの検索要求であるかを否かをチェックする（ステップＳ２０５）。
【００９１】
ここで、受信された情報が現金払出装置８０からの検索要求であると判定された場合（ステップＳ２０５ＹＥＳ）、検索処理部７２３が、当該検索要求に含まれる携帯電話番号に基づくＤＢ７３１の検索処理（ステップＳ２０６，Ｓ２０７）へと移行する。
【００９２】
また、受信された情報が現金払出装置８０からの検索要求でないと判定された場合（ステップＳ２０５ＮＯ）、図１６におけるステップＳ２１１の処理へと進む。
【００９３】
また、図１６におけるステップＳ２１１において、受信された情報が再プレイ玉貸機からの玉貸要求でないことが情報送受信処理部７２１により判定された場合（ステップＳ２１１ＮＯ）、更に、図１９におけるステップＳ２２１の処理へと進む。
【００９４】
これらＤＢ７３１の検索処理（ステップＳ２０６，Ｓ２０７）、ステップＳ２１１以降の処理、及びステップＳ２２１以降の処理については、便宜上、後で述べる現金払出装置８０の処理動作（図１１参照）、再プレイ玉貸機４０の処理動作（図１５参照）、自動販売機６０の処理動作（図１８参照）に関連して詳しく説明する。
【００９５】
図１１は、本発明に係わる現金払出装置８０の検索要求処理動作を示すフローチャートである。
【００９６】
現金払出装置８０では、待機状態において、操作／表示部８４の表示パネル上に、待受け画面を表示している（ステップＳ３０１）。
【００９７】
図１２は、現金払出装置８０における表示パネルへの表示画面の例を示す図であり、同図（ａ）は待受け画面８４０ａの表示例を、同図（ｂ）は出金確認画面８４０ｂの表示例をそれぞれ示している。
【００９８】
上記ステップＳ３０１において、現金払出装置８０の制御部８２は、表示パネルに対して、図１２（ａ）に示す待受け画面８４０ａを表示し、特殊景品の交換（換金）を行おうとしている客（図５におけるステップＳ１０４に対応して自分の携帯電話端末５から遊技媒体計数装置３０に電話をかけた遊技客）に対して、“０９０−０８××−××××”である当該現金払出装置８０の電話番号に電話をかけることを促す。
【００９９】
この待受け画面８４０ａを見た客は、自分が所持する携帯電話端末５を媒体とした換金を行うべく、当該携帯電話端末５から、上記待受け画面８４０ａに表示された現金払出装置８０の電話番号に電話をかける。
【０１００】
一方、現金払出装置８０では、上記待受け画面８４０ａの表示中、換金客が自分の携帯電話端末５から現金払出装置８０の電話番号“０９０−０８××−××××”に電話をかけるのに対応して、携帯電話受信部８６に該携帯電話端末５から着呼があり、端末番号取得部８２１によって発呼側の携帯電話端末５の携帯電話番号例えば“０９０−１×××−××××”が取得されると（ステップＳ３０２ＹＥＳ）、次いで、情報送受信処理部８２２は、この取得された携帯電話番号を含む検索要求を生成し、該検索要求を通信制御部８１を通じてＴ／Ｃ７０に送信する（ステップＳ３０３）。
【０１０１】
このステップＳ３０３の処理に対応して、Ｔ／Ｃ７０では、図９におけるステップＳ２０５において、情報送受信処理部７２１が現金払出装置８０からの検索要求を通信制御部７１ｂを介して受信（ステップＳ２０５ＹＥＳ）し、該受信された検索要求を検索処理部７２３に渡す。
【０１０２】
次いで、検索処理部７２３は、情報送受信処理部７２１から渡された上記検索要求に基づき、該検索要求に含まれる携帯電話番号をキーにしてＤＢ７３１を検索することにより当該携帯電話番号に対応する特殊景品数を取得する（ステップＳ２０６）。
【０１０３】
更に、情報送受信処理部７２１は、上記検索処理部７２３により検索された特殊景品数の情報（検索結果情報）を通信制御部７１ｂを介して現金払出装置８０に送出し（ステップＳ２０７）、その後、待機状態（ステップＳ２０１）に復帰する。
【０１０４】
一方、現金払出装置８０では、図１１のステップＳ３０３においてＴ／Ｃ７０に検索要求を送出した後、情報送受信処理部８２２が、上記検索要求の送出に対応してＴ／Ｃ７０からその検索結果（特殊景品数）が受信されたか否かを監視する（ステップＳ３０４）。
【０１０５】
ここで、情報送受信処理部８２２が、Ｔ／Ｃ７０からの検索結果を通信制御部８１を介して受信すると（ステップＳ３０４ＹＥＳ）し、該受信された検索結果を現金払出制御部８２３に渡す。
【０１０６】
次いで、現金払出制御部８２３は、情報送受信処理部８２２から渡された上記検索結果（特殊景品数）に基づき、該特殊景品数と等価の払出金額を算出する（ステップＳ３０５）。
【０１０７】
この払出金額算出処理を行うために、当該現金払出装置８０の例えば記憶部８３内には、図１３に示すように、特殊景品の種別に対応して当該各種別の特殊景品と等価の換金金額を格納した換金額算出テーブル８３１が設けられている。
【０１０８】
そして、上記ステップＳ３０５において、現金払出制御部８２３は、情報送受信処理部８２２からＴ／Ｃ７０での検索結果（特殊景品数）を渡されると、上記換金額算出テーブル８３１を参照して当該特殊景品数に対応した換金金額を算出する。
【０１０９】
例えば、図１３の例の如く、特殊景品数が「大景品＝３、中景品＝２」の場合、現金払出制御部８２３は、換金額算出テーブル８３１における大景品に対する換金金額＝５０００（円）に大景品数＝３を乗じて１５０００（円）を算出し、次いで、換金額算出テーブル８３１における中景品に対する換金金額＝１０００（円）に中景品数＝２を乗じて２０００（円）を算出した後、これら各乗算値を加算することにより、「大景品＝３、中景品＝２」に対応した払出金額＝１７０００（円）を算出する。
【０１１０】
当該処理を経て特殊景品数に対応する払出金額を算出（ステップＳ３０５）した後、次いで、現金払出制御部８２３は、例えば、図１２（ｂ）に示した出金確認画面８４０ｂを用いて、当該算出した払出金額（この例では、１７０００円）を操作／表示部８４の表示パネル上に表示する（ステップＳ３０６）。
【０１１１】
更に、現金払出制御部８２３は、上記ステップＳ３０５で算出した払出金額分の現金を図示しない現金収容部から搬出し現金排出口へと出金させるように現金払出部８５による現金払出制御を行う（ステップＳ３０７）。
【０１１２】
上述した遊技媒体計数装置３０、Ｔ／Ｃ７０及び現金払出装置８０の処理動作（図５、図９及び図１１参照）からも分かるように、本発明の景品交換システム９０では、互いにＴ／Ｃ７０に接続される遊技媒体計数装置３０と現金払出装置８０とに、それぞれ、例えば、携帯電話端末５から着呼を受け付け、該携帯電話端末５の携帯電話番号を取得する情報取得手段（３０１，８０１：図１参照）を持ち、更に、遊技媒体計数装置３０では、上記情報取得手段３０１により取得した携帯電話番号と、遊技媒体の計数処理により得た計数データ（計数値から算出した特殊景品数を含む）をＴ／Ｃ７０に通知して、該Ｔ／Ｃ７０により、該携帯電話番号及び計数データを対応付けてＤＢ７３１により管理させる一方で、現金払出装置８０では、上記情報取得手段８０１により取得された携帯電話番号をＴ／Ｃ７０に通知して、該Ｔ／Ｃ７０により、現金払出装置８０から通知された携帯電話番号に対応する特殊景品数をＤＢ７３１から検索させ、該検索された特殊景品数がＴ／Ｃ７０から通知されるのを受けて、該通知された携帯電話番号に対応する特殊景品数と等価の現金を払い出すようにしている。
【０１１３】
このように、本発明では、遊技客が所持する携帯電話機５等の通信端末の呼番号情報と関連付けて、遊技媒体計数装置３０における遊技媒体の計数処理、及び現金払出装置８０における換金処理を行うため、景品交換に際して実際の物としての特殊景品が介在しない。
【０１１４】
これにより、遊技店側では、特殊景品の購入、管理及び運用に係わるコスト及び労力を低減できかつ特殊景品の偽造による不正を防止できると共に、景品交換所においても枚数チェック等の労力低減を図ることができる。また、遊技客にとっても、特殊景品を景品交換所まで持っていく面倒がなく、セキュリティの面でも安心である。
【０１１５】
なお、本発明の景品交換システム９０では、遊技媒体の計数時、例えば所定期間内に、遊技客が携帯電話端末５から該当する遊技媒体計数装置３０に発呼をしなかった場合、該遊技媒体計数装置３０は、遊技媒体の計数結果に関する情報を印字した玉数レシート３７１（図８参照）を発行するようにしている。
【０１１６】
玉数レシート３７１が発行された場合、遊技客は、景品交換カウンタまで該玉数レシート３７１を持ち込んで景品管理装置１０に読み込ませたうえで当該印字されている分の特殊景品を受け取り、その後、該特殊景品を景品交換所まで持っていって作業員を介して現金を受け取ることもできる。
【０１１７】
計数時に、遊技客の携帯電話端末５から電話がなかった場合に、玉数レシート３７１を発行する当該景品交換方法によれば、携帯電話端末５を持っていない遊技客、あるいは、携帯電話端末５を媒体とした計数及び換金の仕組みを知らない遊技客に対しても換金に対応できるというメリットがある。
【０１１８】
また、本発明では、計数時に、遊技客の携帯電話端末５から電話がなかった場合に玉数レシート３７１を発行するのに限らず、計数時に、遊技客の携帯電話端末５から電話があるか否かにかかわらず常に玉数レシート３７１を発行するようにしても良い。
【０１１９】
この場合、遊技客は、携帯電話端末５と玉数レシート３７１を持って景品交換所に行き、該玉数レシート３７１を景品交換所の作業員に見せ、これに印字された情報（計数日時、玉計数機の号機番号、特殊景品数等）を該作業員に確認してもらったうえで携帯電話端末５からの発呼による換金操作を行うことになる。
【０１２０】
従って、この景品交換方法によれば、景品交換所の作業員がいだく、携帯電話端末５による通信のみで現金払出装置８０から現金を払出すということへの違和感を排除できる。また、盗まれた携帯電話端末５を使った不正な交換行為や、二重の交換要求の防止に極めて有用なものとなる。
【０１２１】
また、本発明では、遊技客の携帯電話端末５の携帯電話番号との紐付けを行う記録媒体は、上記玉数レシート３７１に限らず、会員カード等であっても良い。
【０１２２】
この場合、遊技媒体計数装置３０における記録媒体発行部３６は、会員情報を磁気記録した上記会員カードを受け入れ、該会員カードに遊技媒体の計数処理に関する情報を磁気記録するカード処理機により構成すれば良い。
【０１２３】
この会員カードの発行機能を設けた構成においても、景品交換所において、当該会員カードの認証を併用して携帯電話端末５との通信による現金の払出しを行うことで、上述した違和感の排除、不正な交換行為並びに二重の交換要求の防止を図ることができる。
【０１２４】
ところで、図１０に示したＤＢ７３１の構成からも分かるように、本発明に係わるシステム９０のＴ／Ｃ７０では、遊技媒体計数装置３０から携帯電話端末５の携帯電話番号に関連付けされた計数処理に対応して送られてくる計数データに関して、計数値、特殊景品数の他、最小特殊景品（小景品）の交換価値に満たない余り玉数の管理も行っている。
【０１２５】
このＴ／Ｃ７０における余り玉数の管理機能を利用することにより、本発明のシステム９０では、例えば、再プレイ玉貸機４０から当該余り玉数分の玉を貸出すサービスや、タバコや飲料等の自動販売機６０から、当該余り玉数分の価値に応じた商品を販売するサービスも実現できる。
【０１２６】
以下、上記サービスを実現するための再プレイ玉貸機４０及び自動販売機６０の構成と、これら再プレイ玉貸機４０及び自動販売機６０とＴ／Ｃ７０間の通信制御動作について順次説明する。
【０１２７】
図１４は、本発明に係わる再プレイ玉貸機４０の機能構成を示すブロック図である。
【０１２８】
図１４に示すように、再プレイ玉貸機４０は、ＬＡＮ７を介してＴ／Ｃ７０との通信制御を行う通信制御部４１、装置全体の制御を行う制御部４２、制御部４２の動作プログラム等の各種情報を記憶する記憶部４３、タッチパネル等から成る操作／表示部４４、操作／表示部４４での玉貸出し操作等に応じて、隣接配置される遊技機（パチンコ機）に遊技媒体（パチンコ玉）の貸出しを行う遊技媒体貸出処理部４５、玉貸出しのトリガとなる遊技客の携帯電話端末５からの発呼に対応した受信動作を行う携帯電話受信部４６を具備して構成される。
【０１２９】
このうち、制御部４２は、携帯電話受信部４６で受信される発呼側（遊技客）の携帯電話端末５の携帯電話番号を取得する端末番号取得部４２１、端末番号取得部４２１により取得した携帯電話番号のＴ／Ｃ７０への通知、及び該通知した携帯電話番号に対応してＴ／Ｃ７０から通知される余り玉数の受信等、Ｔ／Ｃ７０との間で各種情報の送受信を行う情報送受信処理部４２２、Ｔ／Ｃ７０から通知を受けた上記余り玉数分の遊技媒体を遊技媒体貸出処理部４５から隣接する遊技機に対して貸出す制御を行う遊技媒体貸出制御部４２３を具備して構成される。
【０１３０】
図１５は、本発明に係わる再プレイ玉貸機４０の余り玉貸出処理動作を示すフローチャートである。
【０１３１】
また、図１６は、Ｔ／Ｃ７０における再プレイ玉貸機４０に対する余り玉処理動作を示すフローチャートである。
【０１３２】
図１５に示すように、再プレイ玉貸機４０は、待機状態において、操作／表示部４４の表示パネル上に、待受け画面を表示している（ステップＳ４０１）。
【０１３３】
この待受け画面には、例えば、余り玉の貸出しを希望する場合に、携帯電話端末５から当該再プレイ玉貸機４０に対して電話をかけることを促すメッセージと、当該再プレイ玉貸機４０の携帯電話番号が表示されている。
【０１３４】
この待受け画面を見た遊技客は、余り玉の貸し出しを希望する場合、自分の携帯電話端末５から再プレイ玉貸機４０の携帯電話番号に電話をかける。
【０１３５】
一方、再プレイ玉貸機４０では、上記待受け画面の表示中、遊技客が自分の携帯電話端末５から再プレイ玉貸機４０の電話番号例えば“０９０−０９××−××××”に電話をかけるのに対応して、携帯電話受信部４６に該携帯電話端末５から着呼があり、端末番号取得部４２１によって発呼側の携帯電話端末５の携帯電話番号例えば“０９０−１×××−××××”が取得されると（ステップＳ４０２ＹＥＳ）、次いで、情報送受信処理部４２２は、この取得された携帯電話番号を含む玉貸要求を生成し、該検索要求を通信制御部４１を通じてＴ／Ｃ７０に送信する（ステップＳ４０３）。
【０１３６】
このステップＳ４０３の処理に対応して、Ｔ／Ｃ７０では、図１６におけるステップＳ２１１において、情報送受信処理部７２１が再プレイ玉貸機４０からの玉貸要求を通信制御部７１ａを介して受信し（ステップＳ２１１ＹＥＳ）し、該受信された玉貸要求を再プレイ機制御部７２４に渡す。
【０１３７】
次いで、再プレイ機制御部７２４は、情報送受信処理部７２１から渡された上記玉貸要求に基づき、該玉貸要求に含まれる携帯電話番号をキーにしてＤＢ７３１を検索することにより当該携帯電話番号に対応する余り玉数を取得する（ステップＳ２１２）。この例では、ＤＢ７３１（図１０参照）から、携帯電話番号“０９０−１×××−××××”対応する余り玉数＝３５が取得される。
【０１３８】
更に、情報送受信処理部７２１は、上記再プレイ機制御部７２４により検索された余り玉数の情報を通信制御部７１ａを介して要求元の再プレイ玉貸機４０に通知する（ステップＳ２１３）。
【０１３９】
次いで、再プレイ機制御部７２４は、ＤＢ７３１に対して、上記検索キーとして用いた携帯電話番号に対応する余り玉数をクリアする（“０”にする）処理を行い（ステップＳ２１４）、その後、待機状態（ステップＳ２０１：図９参照）に復帰する。
【０１４０】
一方、再プレイ玉貸機４０では、図１５のステップＳ４０３においてＴ／Ｃ７０に玉貸要求を送出した後、情報送受信処理部４２２が、上記玉貸要求の送出に対応してＴ／Ｃ７０からその検索結果（余り玉数）が受信されたか否かを監視する（ステップＳ４０４）。
【０１４１】
ここで、情報送受信処理部４２２が、Ｔ／Ｃ７０からの検索結果を通信制御部４１を介して受信すると（ステップＳ４０４ＹＥＳ）、該受信された検索結果を遊技媒体貸出制御部４２３に渡す。
【０１４２】
遊技媒体貸出制御部４２３は、情報送受信処理部４２２から渡された上記検索結果（余り玉数）に基づき、該余り玉数の遊技媒体（パチンコ玉）を遊技媒体貸出処理部４５から隣接するパチンコ機に貸出すように制御する（ステップＳ４０５）。
【０１４３】
このように、本発明のシステム９０では、再プレイ玉貸機４０にも、携帯電話端末５からの着呼を受け付けて該携帯電話端末５の携帯電話番号を取得する情報取得手段を設け、該再プレイ玉貸機４０において、上記情報取得手段により取得した携帯電話番号をＴ／Ｃ７０に通知して、該Ｔ／Ｃ７０により、該通知された携帯電話番号に対応する余り玉数をＤＢ７３１から検索させる一方、該検索された余り玉数がＴ／Ｃ７０から通知されるのを受けて、再プレイ玉貸機４０が、該通知された余り玉数の遊技媒体（パチンコ玉）を貸出す制御機能を備えることで、Ｔ／Ｃ７０のＤＢ７３１で管理される余り玉数分の玉を再プレイ玉貸機４０から貸出すサービスを提供できる。
【０１４４】
但し、このサービスを受けられる者は、事前に、遊技媒体計数装置３０での玉計数に際して、自分の携帯電話端末５から該遊技媒体計数装置３０に発呼し、Ｔ／Ｃ７０のＤＢ７３１内に、該携帯電話端末５の携帯電話番号に対応して計数データ（余り玉数があることが条件）が管理されている遊技客に限られる。
【０１４５】
従って、再プレイ玉貸機４０からＴ／Ｃ７０へ玉貸要求を送信しても、Ｔ／Ｃ７０側のデータベースにおいて当該携帯電話が管理されていなかったり、余り玉数が「０」である場合には、その旨を示す情報が再プレイ玉貸機４０に返信、表示され、再プレイ処理は実施できない。
【０１４６】
なお、上記の例では、ＤＢ７３１で管理される余り玉数による再プレイ玉貸機４０からの玉貸出処理について述べたが、同様に、ＤＢ７３１で管理される余りメダル数による再プレイメダル貸機５０からのメダル貸出処理も行うことができる。
【０１４７】
この場合における再プレイメダル貸機５０の構成は、図１４に示す再プレイ玉貸機４０の構成において、遊技媒体発行部４６をパチンコ玉の貸出し機能からメダル貸出し機能に変更することにより実現できる。
【０１４８】
図１７は、本発明に係わる自動販売機６０の機能構成を示すブロック図である。
【０１４９】
図１７に示すように、自動販売機６０は、ＬＡＮ７を介してＴ／Ｃ７０との通信制御を行う通信制御部６１、装置全体の制御を行う制御部６２、制御部６２の動作プログラム等の各種情報を記憶する記憶部６３、販売対象の商品（タバコや飲料等）の見本を陳列する商品見本陳列部６４、商品選択ボタン等の表示や、該商品選択ボタンの押下に対応した購入要求等の指示操作を受け付ける操作／表示部６５、販売対象の商品を収容する商品収容部６６、操作／表示部６５における商品選択ボタンの押下に基づき対応する商品を商品収容部６６から搬出して商品取出し口に排出する商品排出部６７、商品の購入を希望する遊技客の携帯電話端末５からの発呼に対応した受信動作を行う携帯電話受信部６８を具備して構成される。
【０１５０】
このうち、制御部６２は、携帯電話受信部６８で受信される発呼側（遊技客）の携帯電話端末５の携帯電話番号を取得する端末番号取得部６２１、端末番号取得部６２１により取得した携帯電話番号のＴ／Ｃ７０への通知、及び該通知した携帯電話番号に対応してＴ／Ｃ７０から通知される余り玉数の受信等、Ｔ／Ｃ７０との間で各種情報の送受信を行う情報送受信処理部６２２、Ｔ／Ｃ７０から通知を受けた上記余り玉数の価値の範囲内で遊技客により選択された商品を販売する制御を行う販売制御部６２３を具備して構成される。
【０１５１】
図１８は、本発明に係わる自動販売機６０の余り玉による商品販売処理動作を示すフローチャートである。
【０１５２】
また、図１９は、Ｔ／Ｃ７０における自動販売機６０に対する余り玉処理動作を示すフローチャートである。
【０１５３】
図１８に示すように、自動販売機６０は、待機状態において、操作／表示部４４の表示パネル上に、待受け画面を表示している（ステップＳ５０１）。
【０１５４】
この待受け画面には、例えば、余り玉による商品の購入を希望する場合に、携帯電話端末５から当該自動販売機６０に対して電話をかけることを促すメッセージと、当該自動販売機６０の携帯電話番号が表示されている。
【０１５５】
この待受け画面を見た遊技客は、余り玉による商品の購入を希望する場合、自分の携帯電話端末５から自動販売機６０の携帯電話番号に電話をかける。
【０１５６】
一方、自動販売機６０では、上記待受け画面の表示中、遊技客が自分の携帯電話端末５から自動販売機６０の電話番号例えば“０９０−０９９×−××××”に電話をかけるのに対応して、携帯電話受信部６８に該携帯電話端末５から着呼があり、端末番号取得部６２１によって発呼側の携帯電話端末５の携帯電話番号例えば“０９０−２×××−××××”が取得されると（ステップＳ５０２ＹＥＳ）、次いで、情報送受信処理部６２２は、この取得された携帯電話番号を含む販売要求を生成し、該販売要求を通信制御部６１を通じてＴ／Ｃ７０に送信する（ステップＳ５０３）。
【０１５７】
このステップＳ５０３の処理に対応して、Ｔ／Ｃ７０では、図１９におけるステップＳ２２１において、情報送受信処理部７２１が、受信した情報が自動販売機６０からの販売要求であるか否かをチェックし、該販売要求でない場合には（ステップＳ２２１ＮＯ）、当該受信した情報に対応した処理を行う（ステップＳ２２２）。
【０１５８】
これに対して、情報送受信処理部７２１が自動販売機６０からの販売要求を通信制御部７１ａを介して受信した場合（ステップＳ２２１ＹＥＳ）、該受信された販売要求を販売機制御部７２５に渡す。
【０１５９】
次いで、販売機制御部７２５は、情報送受信処理部７２１から渡された上記販売要求に基づき、該販売要求に含まれる携帯電話番号をキーにしてＤＢ７３１を検索することにより当該携帯電話番号に対応する余り玉数を取得する（ステップＳ２２３）。この例では、ＤＢ７３１（図１０参照）から、携帯電話番号“０９０−２×××−××××”対応する余り玉数＝３０が取得される。
【０１６０】
更に、情報送受信処理部７２１は、上記販売機制御部７２５により検索された余り玉数の情報を通信制御部７１ａを介して要求元の自動販売機６０に通知する（ステップＳ２２４）。
【０１６１】
一方、自動販売機６０では、図１８のステップＳ５０３においてＴ／Ｃ７０に販売要求を送出した後、情報送受信処理部６２２が、上記販売要求の送出に対応してＴ／Ｃ７０からその検索結果（余り玉数）が受信されたか否かを監視する（ステップＳ５０４）。
【０１６２】
ここで、情報送受信処理部６２２が、Ｔ／Ｃ７０からの検索結果を通信制御部６１を介して受信すると（ステップＳ５０４ＹＥＳ）、該受信された検索結果を販売制御部６２３に渡す。
【０１６３】
販売制御部６２３は、情報送受信処理部６２２から渡された上記検索結果（余り玉数）に基づき、該余り玉数の価値の範囲内で販売可能な商品に対応する商品選択ボタンを点灯状態にする（ステップＳ５０５）。
【０１６４】
引き続き、販売制御部６２３は、上記点灯状態の商品選択ボタンのいずれかが押下されたかどうかを監視する（ステップＳ５０６）。
【０１６５】
この間、遊技客が所望の商品を購入すべく該商品に対応する商品選択ボタンを押下すると（ステップＳ５０６ＹＥＳ）、販売制御部６２３は、該商品選択ボタンに対応する商品を商品収容部６６から搬出して商品排出部６７から商品取出し口へと排出し、該遊技客に対して当該商品を販売する制御を行う（ステップＳ５０７）。
【０１６６】
次いで、販売制御部６２３は、ステップＳ５０７で販売した商品の価値に対応する玉数を情報送受信処理部６２２を介してＴ／Ｃ７０に通知し（ステップＳ５０８）、その後、処理を終了する。
【０１６７】
これに対し、Ｔ／Ｃ７０では、図１９のステップＳ２２４において自動販売機６０に余り玉数を通知した後、情報送受信処理部７２１が、上記余り玉数の通知に対応して自動販売機６０から販売した商品の価値に対応する玉数（＝消費玉数）が受信されたか否かを監視する（ステップＳ２２５）。
【０１６８】
ここで、情報送受信処理部７２１が、自動販売機６０から送られてくる上記消費玉数を通信制御部７１ａを介して受信すると（ステップＳ２２５ＹＥＳ）、該受信された消費玉数を販売機制御部７２５に渡す。
【０１６９】
販売機制御部７２５は、情報送受信処理部７２１から上記消費玉数を渡されると、ステップＳ２２３で検索キーとして用いた携帯電話番号に対応する余り玉数から、当該消費玉数を減算することにより、ＤＢ７３１における当該携帯電話番号に対応する余り玉数を更新する処理を行い（ステップＳ２２６）、その後、待機状態（ステップＳ２０１：図９参照）に復帰する。
【０１７０】
このように、本発明のシステム９０では、自動販売機６０にも、携帯電話端末５からの着呼を受け付けて該携帯電話端末５の携帯電話番号を取得する情報取得手段を設け、該自動販売機６０において、上記情報取得手段により取得した携帯電話番号をＴ／Ｃ７０に通知して、該Ｔ／Ｃ７０により、該通知された携帯電話番号に対応する余り玉数をＤＢ７３１から検索させる一方、該検索された余り玉数がＴ／Ｃ７０から通知されるのを受けて、自動販売機６０が、該通知された余り玉数の価値の範囲内で商品を販売する制御機能を備えることで、Ｔ／Ｃ７０のＤＢ７３１で管理される余り玉数分の価値の範囲内で遊技客に商品を販売するサービスを提供できる。
【０１７１】
但し、このサービスも、事前に、遊技媒体計数装置３０での玉計数に際して、自分の携帯電話端末５から該遊技媒体計数装置３０に発呼し、Ｔ／Ｃ７０のＤＢ７３１内に、該携帯電話端末５の携帯電話番号に対応して計数データ（余り玉数が存在することが条件）が管理されている遊技客に限って受けられることは言うまでもない。
【０１７２】
従って、この商品販売サービス（再プレイ機からの余り玉貸出サービスについても同じ）を提供する場合には、遊技媒体計数装置３０において、遊技媒体の計数の結果、余り玉（余りメダル）がある場合にのみ、玉数レシート（メダル数レシート）を発行する構成を付加しても良い。
【０１７３】
そうすれば、遊技客は、この玉数レシート等を見て、自分が余り玉を使った商品販売サービス（あるいは、余り玉貸出サービス）をどの程度（何個分）受けられるかを確実に把握できる。
【０１７４】
この他、本発明は、上記し、且つ図面に示す実施例に限定することなく、その要旨を変更しない範囲内で適宜変形して実施できるものである。
【０１７５】
例えば、上記実施例では、遊技媒体としてパチンコ玉を計数する遊技媒体計数装置３０を例示したが、パチンコ玉以外の遊技媒体すなわちメダルを計数するメダル計数機（図１における遊技媒体計数装置３０ｃ等）に対しても本発明の機能を付加できるものである。
【０１７６】
また、上記実施例では、遊技媒体計数装置３０、現金払出装置８０、再プレイ機（４０，５０）、自動販売機６０の本体部内に携帯電話受信部を設けた構成をあげているが、これらの本体部の外部に携帯電話端末を子機として設け、遊技客（あるいは、換金客）の携帯電話端末５とこれら子機との通信を介して携帯電話番号を取得するようにしても良い。
【０１７７】
また、上記実施例では、遊技媒体計数装置３０、現金払出装置８０、再プレイ玉貸機４０、再プレイメダル貸機５０及び自動販売機に設ける情報取得手段として、携帯電話端末から着呼を受け付け、該携帯電話端末の携帯電話番号を取得する携帯電話受信部で構成する例を挙げたが、これに限らず、例えば、Ｂｌｕｅｔｏｏｔｈ（Ｒ）等の近距離無線通信端末から着呼を受け付け、該近距離無線通信端末の近距離無線通信呼番号を取得する近距離無線通信受信部で構成するようにしても良い。
【０１７８】
また、上記実施例では、計数された遊技媒体数を特殊景品数に換算した情報を上位管理装置（データベース）に登録し、現金化しているが、遊技媒体数や金額情報を上位管理装置（データベース）に登録しても良い。
【産業上の利用可能性】
【０１７９】
本発明は、遊技客が遊技機で獲得した遊技媒体を現金に換金する景品交換システムに適用でき、遊技客が所持する携帯電話機等の外部通信端末から取得した呼番号情報に関連付けて遊技媒体計数装置での遊技媒体の計数処理、上位管理装置での計数情報の管理、現金払出装置での現金払出し処理を行うことにより、特殊景品を持たずに景品交換所まで行って換金を行うことができ、遊技店側、景品交換所側及び遊技客側のいずれにとってもニーズの低い特殊景品の取り扱いを削減できる。
【図面の簡単な説明】
【０１８０】
【図１】本発明に係る景品交換システムの全体構成を示すブロック図。
【図２】遊技媒体計数装置の機能構成を示すブロック図。
【図３】現金払出装置の機能構成を示すブロック図。
【図４】上位管理装置の機能構成を示すブロック図。
【図５】遊技媒体計数装置の計数処理動作を示すフローチャート。
【図６】遊技媒体計数装置における表示パネルへの表示画面の例を示す図。
【図７】遊技媒体計数装置の特殊景品数算出処理を示す概念図。
【図８】遊技媒体計数装置により発行される玉数レシートの一例を示す図。
【図９】上位管理装置のデータベース登録／検索処理動作を示すフローチャート。
【図１０】上位管理装置により管理されるデータベースの一例を示す図。
【図１１】現金払出装置の検索要求処理動作を示すフローチャート。
【図１２】現金払出装置における表示パネルへの表示画面の例を示す図。
【図１３】現金払出装置における払出金額算出処理を示す概念図。
【図１４】再プレイ玉貸機の機能構成を示すブロック図。
【図１５】再プレイ玉貸機の余り玉貸出処理動作を示すフローチャート。
【図１６】上位管理装置での再プレイ玉貸機に対する余り玉処理動作を示すフローチャート。
【図１７】自動販売機の機能構成を示すブロック図。
【図１８】自動販売機の余り玉による商品販売処理動作を示すフローチャート。
【図１９】上位管理装置での自動販売機に対する余り玉処理動作を示すフローチャート。
【符号の説明】
【０１８１】
５…携帯電話端末、７…ＬＡＮ、８…ネットワーク（ＮＷ）、１０…景品管理装置、２０…レシート発行機、２５…玉計数機、２６…メダル計数機、３０，３０ａ，３０ｂ，３０ｃ…遊技媒体計数装置、３０１…情報取得手段、３１…通信制御部、３２…制御部、３２１…遊技媒体計数処理部、３２２…景品数算出部、３２３…端末番号取得部、３２４…被管理情報通知部、３２５…記録媒体発行制御部、３３…記憶部、３３１…景品交換管理テーブル、３４…操作／表示部、３４０ａ…待受け画面、３４０ｂ…計数・携帯番号確認画面、３５…遊技媒体計数部、３６…記録媒体発行部、３７…携帯電話受信部、３７１…玉数レシート、４０，４０ａ，４０ｂ…再プレイ玉貸機、４１…通信制御部、４２…制御部、４２１…端末番号取得部、４２２…情報送受信処理部、４２３…遊技媒体貸出制御部、４３…記憶部、４４…操作／表示部、４５…遊技媒体貸出処理部、４６……携帯電話受信部、５０，５０ａ，５０ｂ…再プレイメダル貸機、６０…自動販売機、６１…通信制御部、６２…制御部、６２１…端末番号取得部、６２２…情報送受信処理部、６２３…販売制御部、６３…記憶部、６４…商品見本陳列部、６５…操作／表示部、６６…商品収容部、６７…商品排出部、６８…携帯電話受信部、７０…上位管理装置（Ｔ／Ｃ）、７１ａ，７１ｂ…通信制御部、７２…制御部、７２１…情報送受信処理部、７２２…データベース（ＤＢ）管理部、７２３…検索処理部、７２４…再プレイ機制御部、７２５…販売機制御部、７３…記憶部、７３１…データベース（ＤＢ）、７４…表示部、７５…操作部、８０…現金払出装置、８０１…情報取得手段、８１…通信制御部、８２…制御部、８２１…端末番号取得部、８２２…情報送受信処理部、８２３…現金払出制御部、８３…記憶部、８３１…換金額算出テーブル、８４…操作／表示部、８４０ａ…待受け画面、８４０ｂ…出金確認画面、８５…現金払出部、８６…携帯電話受信部、９０…景品交換システム
【図１】
2005192922.tif 000003
【図２】
2005192922.tif 000004
【図３】
2005192922.tif 000005
【図４】
2005192922.tif 000006
【図５】
2005192922.tif 000007
【図６】
2005192922.tif 000008
【図７】
2005192922.tif 000009
【図８】
2005192922.tif 000010
【図９】
2005192922.tif 000011
【図１０】
2005192922.tif 000012
【図１１】
2005192922.tif 000013
【図１２】
2005192922.tif 000014
【図１３】
2005192922.tif 000015
【図１４】
2005192922.tif 000016
【図１５】
2005192922.tif 000017
【図１６】
2005192922.tif 000018
【図１７】
2005192922.tif 000019
【図１８】
2005192922.tif 000020
【図１９】
2005192922.tif 000021